(57)【要約】【課題】特に構造の複雑化やコスト上昇の原因にならずに、プラグ受の外端やプラグ受およびプラグの境界部に結露水やおねばが及ぶのを防止できる電気炊飯器を提供する。【解決手段】器体の１側周の両側上部に両端部３ａが枢支されて起立位置と後部への伏倒位置との間で起伏するハンドル３と、器体１の側周の後部側の下部に突出した外端からプラグ５を受け入れることにより外部電源に接続されるプラグ受４とを備え、平面視して、伏倒したハンドル３の鉛直下にプラグ受４の外端が位置するようにしたことよって、上記の課題を達成する。【選択図】図１
2010273937.tif 000002
【特許請求の範囲】
【請求項１】
器体の側周の両側上部に両端部が枢支されて起立位置と後部への伏倒位置との間で起伏するハンドルと、器体の側周の後部側の下部に突出した外端からプラグを受け入れることにより外部電源に接続されるプラグ受とを備えた電気炊飯器において、平面視して、伏倒したハンドルの鉛直下にプラグ受の外端が位置するようにしたことを１つの特徴とする電気炊飯器。
【請求項２】
器体の側周の両側上部に両端部が枢支されて起立位置と後部への伏倒位置との間で起伏するハンドルと、器体の側周の後部側の下部に突出した外端とこの外端から器体の側周までの間の少なくとも上面に両側へ開放した溝を持ち、外端からプラグを受け入れることにより外部電源に接続されるプラグ受とを備えた電気炊飯器において、平面視して、伏倒したハンドルの鉛直下にプラグ受の前記溝の後部側の周面が位置するようにしたことを別の特徴とする電気炊飯器。
【請求項３】
器体の側周の両側上部に両端部が枢支されて起立位置と後部への伏倒位置との間で起伏するハンドルと、ハンドルを器体の側周面で伏倒位置に受け止めるハンドル受と、器体の側周の後部側の下部に突出した外端からプラグを受け入れることにより外部電源に接続されるプラグ受とを備えた電気炊飯器において、平面視して、ハンドル受の鉛直下にプラグ受の外端が位置するようにしたことを他の特徴とする電気炊飯器。
【請求項４】
ハンドルは、器体側周に対し後部中央域で最大に離れ、後部両側および器体への枢支位置に向け徐々に近接する形態とされ、プラグ受は、器体の後部両側の一方に片寄って位置していることを特徴とする請求項１〜３のいずれか１項に記載の電気炊飯器。
【請求項５】
ハンドルは、伏倒したハンドル上に落ちて伝い落ちる結露水やおねばを、プラグ受の外端よりも器体側またはプラグ側に伝い落とすように案内する横断面形状、プラグ受の鉛直上からハンドル長手方向に離れる側に伝い落とすように案内する長手方向形状、の少なくとも１つの案内形状を満足することを特徴とする請求項１〜４のいずれか１項に記載の電気炊飯器。
【発明の詳細な説明】
【技術分野】
【０００１】
本発明は、器体に収容された内鍋を加熱して炊飯や保温を行う電気炊飯器に関し、特に、起伏するハンドルを持った電気炊飯器に関するものである。
【背景技術】
【０００２】
この種の電気炊飯器は、下記の特許文献１などで広く知られ、特許文献１が開示するように図５に示すようなほぼＵ字型のハンドルａの両端が器体ｂの肩部両側に軸ｃにより枢支し、後方に伏倒した位置と起立した位置との間で起伏できるようにされる。多くの場合、ハンドルａは特許文献１が開示するように器体ｂの肩部後部に設けたハンドル受ｄにより伏倒位置に受け止められて安定するようにされる。従って、炊飯器を持ち運ぶときは、ハンドルａを起立させて把持することにより電気炊飯器を持ち運ぶことになる。
【０００３】
一方、特許文献１は開示していないが、器体ｂは図５、図６に示すように、電気炊飯器として商用電源からの給電を受けるためにプラグｆを接続するプラグ受ｇを外面に持っている。プラグｆは、プラグ受ｇに接続した状態で、プラグｆを持った電源コードに万一人が引っ掛かった場合の引っ張りによる問題を、引っ張り作用時に接続が容易に解除されるいわゆるマグネットプラグが多用されている。これに対応したプラグ受ｇは、器体ｂの外面から突出した端部にプラグｆを受け入れて電気的に接続し、この接続状態が電磁的に保持されるようにするプラグ受け口が開口している。
【先行技術文献】
【特許文献】
【０００４】
【特許文献１】特開２００９−５９４９号公報
【発明の概要】
【発明が解決しようとする課題】
【０００５】
ところで、ハンドルａは器体ｂの後方への伏倒時に、器体ｂの肩部などと干渉しないように、自由端部側で器体ｂの肩部との間の隙間ｓを大きくして、特許文献１の開示例ではハンドルａの厚みとほぼ同等とし、軸ｃによる枢支側に徐々に狭くなり枢支位置では接触して器体ｂの両側方向へのガタつきが生じないようにしている。
【０００６】
これに加え、特許文献１に開示はないが、プラグ受ｇは器体ｂの側周の底部近くに設けられて、通常、器体ｂの側周面に若干突出している。本出願人製品も含め、平面視して後部の左右の一方に偏った、取り扱いや使用上邪魔になりにくい位置、に設けることが行われ、特に、角形の器体ｂでは図５に示すように後部左右の一方の側のコーナ部に設けることが多い。
【０００７】
このような偏った位置は、器体ｂの肩部とハンドルａとの隙間ｓが小さくなる領域であると認識するものの、特許文献１に開示で代表されるような大きな隙間ｓの設定では、平面視すると図５に示すように、プラグ受ｇの端部は器体ｂの肩部とハンドルａとの間の隙間ｓ内に位置している。これのため、図示しない蒸気口から噴き出される蒸気による随伴結露水や随伴おねばが飛び散ったり、蓋ｈが仮想線のように後方に傾斜して安定する最大開き位置とされる途中や、最終位置で、蓋内面の結露水やおねばが伝い落ちたりするのに、それら結露水やおねばが隙間ｓを通じてプラグ受ｇ上、特にプラグ受ｇの外端ｇ１とプラグ受ｇの受入れ口に挿入されたプラグｆとの嵌め合い境界部ｊに及ぶことを防げない問題がある。飛び散りは、近時普及度が延びている小容量炊飯器での過剰な給水条件時に発生しやすくなっている。以上のように、プラグ受ｇの外端ｇ１から境界部ｊに及ぶ結露水やおねばは、毛細管現象によりプラグｆとプラグ受ｇの受け入れ口との間の隙間に侵入し、双方の電磁接続部に達してショートや接続不良、発熱の原因になる恐れがある。
【０００８】
本発明は、上記の点に鑑み、特別な部材の新設なしに、従って、特に構造の複雑化やコスト上昇の原因にならずに、プラグ受の外端やプラグ受およびプラグの境界部に結露水やおねばが及ぶのを防止できる電気炊飯器を提供することを課題としている。
【課題を解決するための手段】
【０００９】
上記のような課題を解決するために、本発明の電気炊飯器は、器体の側周の両側上部に両端部が枢支されて起立位置と後部への伏倒位置との間で起伏するハンドルと、器体の側周の後部側の下部に突出した外端からプラグを受け入れることにより外部電源に接続されるプラグ受とを備えた電気炊飯器において、平面視して、伏倒したハンドルの鉛直下にプラグ受の外端が位置するようにしたことを１つの特徴としている。
【００１０】
このような構成では、伏倒したハンドルと器体の側周面との間の隙間の鉛直下にプラグ受の外端がないので、結露水やおねばが同隙間を落下することがあっても、プラグ受の外端より手前、従って器体の側周側に落ちやすくするので、プラグ受とプラグとの境界部に及ぶのを防止しやすい。
【００１１】
本発明の電気炊飯器は、また、器体の側周の両側上部に両端部が枢支されて起立位置と後部への伏倒位置との間で起伏するハンドルと、器体の側周の後部側の下部に突出した外端とこの外端から器体の側周までの間の少なくとも上面に両側へ開放した溝を持ち、外端からプラグを受け入れることにより外部電源に接続されるプラグ受とを備えた電気炊飯器において、平面視して、伏倒したハンドルの鉛直下にプラグ受の前記溝の後部側の周面が位置するようにしたことを別の特徴としている。
【００１２】
このような構成では、伏倒したハンドルと器体の側周面との間の隙間の鉛直下にプラグ受の外端から溝までの部分がないので、結露水やおねばが同隙間を落下することがあっても、プラグ受の外端より手前の溝から器体側に落ちやすく、溝をプラグ受の外端側に乗り越えにくくするので、プラグ受とプラグとの境界部に及ぶのをより防止しやすい。
【００１３】
本発明の電気炊飯器は、また、器体の側周の両側上部に両端部が枢支されて起立位置と後部への伏倒位置との間で起伏するハンドルと、ハンドルを器体の側周面で伏倒位置に受け止めるハンドル受と、器体の側周の後部側の下部に突出した外端からプラグを受け入れることにより外部電源に接続されるプラグ受とを備えた電気炊飯器において、平面視して、ハンドル受の鉛直下にプラグ受の外端が位置するようにしたことを他の特徴としている。
【００１４】
このような構成では、伏倒したハンドルを器体の側周面で受け止めるハンドル受の鉛直下にプラグ受の外端が位置して、器体の側周面と伏倒したハンドルとの隙間には関係なく、結露水やおねばが同隙間を落下することがあっても、ハンドル受が受け止めてハンドル受上のハンドル受載境界部から器体の側周側域で、最悪でもハンドル受載境界部でせき止めて両側へ向かわせ、ハンドル受両側縁からプラグ受の両側位置、プラグ受から外れた位置にも伝い落とすようにできるので、プラグ受の上には勿論、プラグ受とプラグとの境界部に及ぶのをより防止しやすい。
【００１５】
上記において、さらに、ハンドルは、器体側周に対し後部中央域で最大に離れ、後部両側および器体への枢支位置に向け徐々に近接する形態とされ、プラグ受は、器体の後部両側の一方に片寄って位置していることを特徴とすることができる。
【００１６】
このような構成では、上記に加え、さらに、ハンドルが起伏されるのに器体の側周との隙間を器体後部の中央域よりも小さくできる隙間域に対応してプラグ受が位置するので、結露水やおねばが同隙間を落下することがあっても、プラグ受の外端よりもより遠い側、従って器体の側周側により近寄って落ちやすく、プラグ受とプラグとの境界部に及ぶのをより確実に防止することができる。
【００１７】
上記において、さらに、ハンドルは、伏倒したハンドル上に落ちて伝い落ちる結露水やおねばを、プラグ受の外端よりも器体側またはプラグ側に伝い落とすように案内する横断面形状、プラグ受の鉛直上からハンドル長手方向に離れる側に伝い落とすように案内する長手方向形状、の少なくとも１つの案内形状を満足することを特徴とすることができる。
【００１８】
このような構成では、上記に加え、さらに、ハンドルの横断面形状またはおよび長手方向形状をハンドル上に落ちる結露水やおねばの伝い落ち案内面に利用して、プラグ受の外端よりも器体側またはプラグ側に伝い落とすようにすること、プラグ受の鉛直上からハンドル長手方向に離れる側に伝い落とすこと、の少なくとも１つを実現することができる。
【発明の効果】
【００１９】
本発明の電気炊飯器の１つの特徴によれば、伏倒したハンドルと器体の側周面との間の隙間の鉛直下にプラグ受の外端がなく、同隙間から結露水やおねばが落下することがあっても、プラグ受の外端より手前、従って器体の側周側に落ちやすく、プラグ受とプラグとの境界部に及びにくくするので、プラグ受、プラグ間の電気的接続部の安全性を高められる。
【００２０】
本発明の電気炊飯器の別の特徴によれば、伏倒したハンドルと器体の側周面との間の隙間の鉛直下にプラグ受の外端より手前の溝から器体側周側が位置して、同隙間から結露水やおねばが落下することがあっても、プラグ受の溝から器体の側周側に落ちやすく、溝をプラグ受の外端側に乗り越えにくく、溝を通じてプラグ受の両側に流し去って、プラグ受とプラグとの境界部により及びにくくするので、特に構造の複雑化やコスト上昇の原因にならずに、プラグ受、プラグ間の電気的接続部の安全性をより高められる。
【００２１】
本発明の電気炊飯器の他の特徴によれば、器体の側周面のプラグ受の鉛直上にハンドル受が位置して、伏倒したハンドルと器体の側周面との間の隙間から結露水やおねばが落下することがあっても、ハンドル受が受け止めてハンドル受上のハンドル受載境界部から器体の側周側域、最悪でもハンドル受載境界部で堰き止めて両側に案内してプラグ受の両側、外れた位置から伝い落とせるので、プラグ受上には勿論、プラグ受とプラグとの境界部にも、より及びにくくするので、特に構造の複雑化やコスト上昇の原因にならずに、プラグ受、プラグ間の電気的接続部の安全性をより高められる。
【００２２】
上記に加え、さらに、ハンドル起伏時の器体との干渉防止上双方間の隙間を小さくできる隙間域に対応してプラグ受が位置し、同隙間を落下してくることのある結露水やおねばが落下しても、プラグ受の外端よりもより遠い側、従って器体の側周側により近寄って落しやすく、プラグ受とプラグとの境界部により及びにくくするので、特に構造の複雑化やコスト上昇の原因にならずに、プラグ受、プラグ間の電気的接続部の安全性をより確保できる。
【００２３】
上記に加え、さらに、ハンドルの横断面形状またはおよび長手方向形状をハンドル上に落ちる結露水やおねばの伝い落ち案内面に利用して、プラグ受の外端よりも器体側またはプラグ側に伝い落とすようにすること、プラグ受の鉛直上からハンドル長手方向に離れる側に伝い落とすこと、の少なくとも１つを実現し、特に構造の複雑化やコスト上昇の原因にならずに、プラグ受、プラグ間の電気的接続部の安全性を上記いずれの場合よりもさら
に高められる。
【図面の簡単な説明】
【００２４】
【図１】本発明の実施の形態に係る１つの例の電気炊飯器の要部の平面図である。
【図２】同電気炊飯器のハンドルとプラグ受との側面視した位置関係を示すハンドルを断面して見た要部の側面図である。
【図３】本発明の実施の形態に係る別の例の電気炊飯器の要部の平面図、およびハンドル受けとハンドルとの関係をハンドル受けを断面して見た要部の側面図である。
【図４】本発明の実施の形態に係る他の例の電気炊飯器の要部の背面図である。
【図５】従来の電気炊飯器のハンドルとプラグ受との平面視した位置関係を示す平面図である。
【図６】同電気炊飯器のハンドルとプラグ受との側面視した位置関係を示すハンドルを断面して見た要部の側面図である。
【発明を実施するための形態】
【００２５】
以下、本発明に係る電気炊飯器の実施の形態の幾つかの例について、図１〜図４を参照しながら詳細に説明し本発明の理解に供する。以下の説明は本発明の具体例であって、特許請求の範囲の記載を限定するものではない。
【００２６】
本実施の形態に係る図１、図２に示す具体例、図３に示す具体例、図４に示す具体例の電気炊飯器１００、２００、３００は、いずれも、図示しない内鍋、この内鍋を収容する器体１、器体１を閉じる蓋２を備え、器体１は中空で、内部に、器体１に収容した内鍋を加熱して炊飯や保温を行う加熱手段と、それを器体１の図示しない操作面からの操作条件や初期設定条件に応じて、蓋２側に内蔵した加熱手段も含め制御し、炊飯や保温を行う制御装置とを内蔵し、蓋２を閉じ状態で炊飯や保温を実行する。この炊飯や保温動作のために、制御装置は、前記操作面に設定状態や動作状態を表示する制御も行う。これらの具体的な構成は、既に知られたものでよく、特別な構成を必要としないので具体的な説明は省略する。
【００２７】
これら電気炊飯器１００、２００、３００は、いずれも、上記に併せ、器体１の側周の両側上部に両端部３ａ、３ａ（図１に片側で代表して示す）が軸３ｂにより枢支されて起立位置と各図に示す後部への伏倒位置との間で起伏する、持ち運びのためのハンドル３と、器体１の側周の後部側の下部に突出した外端４ａからプラグ５の少なくとも電気接続部を受け入れることにより外部電源に接続されて給電を受けるプラグ受４と、を備えたことを基本的な構成としている。
【００２８】
ここに、プラグ受４、プラグ５はそのような電気接続形態を採るものであれば、どのような電気接続方式のものでもよいが、プラグ５は、プラグ受４に挿入接続した状態で、プラグ５を持った電源コード６に万一人などが引っ掛かった場合の引っ張りによる問題を、引っ張り作用時に接続が容易に解除されるいわゆるマグネットプラグが多用されている。これに対応した図示例でのプラグ受４は、器体１の外面から突出した外端４ａからプラグ５を受け入れて電気的に接続し、この接続状態が電磁的に保持されるようにするプラグ受け口４ｂが開口している。プラグ受口４ｂは図４に代表して示す奥壁４ｃの両側にプラグ受口４ｂの開口からは少し入り込んだ位置まで突出する接続端子４ｄ、４ｄが位置し、それら接続端子４ｄ、４ｄの間にプラグ５側のマグネットと電磁吸着する磁性体４ｅが位置
している。一方、プラグ５は、図示しないが先端の両側の前記接続端子４ｄ、４ｄを受け入れて自身の接続端子に電気的に接続させる接続凹部と、これら接続凹部間でプラグ５の先端に露出して前記磁性体４ｅと電磁吸着するマグネットとを有している。なお、ハンドル３を枢支する軸３ｂは、一般に、ハンドル３に一体成形したものとされるが、これに限られることなない。
【００２９】
本実施の形態の電気炊飯器１００、２００、３００の各例は、共通して、以上のような基本構成において、図１〜図３に示すように、平面視して、伏倒したハンドル３の鉛直下にプラグ受４の外端４ａが位置するようにした位置条件を有している。これにより、伏倒したハンドル３と器体１の側周面との間の隙間１１の鉛直下にプラグ４受の外端４ａがないので、結露水やおねばが同隙間１１を落下することがあっても、プラグ受４の外端より手前、従って器体４の側周側に落ちやすくするので、プラグ受４とプラグ５との境界部１２に及ぶのを防止しやすい。従って、伏倒したハンドル３と器体４の側周面との間の隙間１１の鉛直下にプラグ受４の外端４ａがなく、同隙間１１から結露水やおねばが落下することがあっても、プラグ受４の外端４ａより手前、従って図２で代表して示す円直線１３よりも器体４の側周側に落ちやすく、プラグ受４とプラグ５との境界部１２に及びにくくするので、特に構造の複雑化やコスト上昇の原因にならずに、プラグ受４、プラグ５間の電気的接続部の安全性を高められる。具体的には、侵入した結露水やおねばにより電気接続部がショートしたり、発熱したりすることや、侵入おねばの固化によって次回以降の電気的接続が不良になったり不能になったりするのを回避することができる。
【００３０】
また、本発明の実施の形態の全般において、従って、図１、図２の例、図３の例、図４の例に共通して、プラグ受４が、器体１の側周の後部側の下部に突出した外端４ａとこの外端４ａから器体１の側周までの間の少なくとも上面に両側へ開放した溝４ｆを持ち、図１、図２の例、図３の例で代表して示すように、外端４ａからプラグ５を受け入れることにより外部電源に接続されるようにされ、平面視して、伏倒したハンドル３の鉛直下にプラグ受４の前記溝４ｆの後部側の周面が位置するようにした条件をも満足している。これにより、伏倒したハンドル３と器体１の側周面との間の隙間１１の鉛直下にプラグ受４の外端４ａから溝４ｆまでが位置しないので、結露水やおねばが同隙間１１を落下することがあっても、プラグ受４の外端４ａより手前の溝４ｆから器体１側に落ちやすく、溝４ｆをプラグ受４の外端４ａ側に乗り越えにくくするので、プラグ受４とプラグ５との境界部１２に及ぶのをより防止しやすい。従って、伏倒したハンドル３と器体１の側周面との間の隙間１１の鉛直下にプラグ受４の外端４ａより手前の溝４ｆから器体側周側が位置して、同隙間１１から結露水やおねばが落下しても、プラグ受４の溝４ｆから器体１の側周側に落ちやすく、プラグ受４の外端４ａ側の溝４ｆに落ち、または器体１側から入ってもプラグ受４の外端４ａ側に乗り越えにくく、溝４ｆを通じてプラグ受の両側に流し去って、プラグ受４とプラグ５との境界部１２により及びにくくするので、特に構造の複雑化やコスト上昇の原因にならずに、プラグ受４、プラグ５間の電気的接続部の安全性をより高められる。
【００３１】
溝４ｆは、図示するようにプラグ受４の側面にまで連続するように設けることで、そこに受け入れた結露水やおねばを、プラグ受４の外端４ａ側にいささかも移動させずにプラグ受４下に伝い落とすことができ、プラグ受４およびプラグ５の境界部１２に結露水やおねばが及んでしまうのを確実に防止することができる。
【００３２】
さらに、図３の例では、プラグ受４が、平面視して、ハンドル受１３の鉛直下にプラグ受４の外端４ａが位置する条件をも満足したものとしている。このような条件単独でも、伏倒したハンドル３を器体１の側周面で受け止めるハンドル受１３の鉛直下にプラグ受４の外端４ａが位置して、器体１の側周面と伏倒したハンドル３との隙間１１には関係なく、結露水やおねばが同隙間１１を落下することがあっても、ハンドル受１３が受け止めて
、ハンドル受１３上のハンドル受載境界部１４から器体１の側周側域、最悪でもハンドル受載境界部１４で両側に案内し、ハンドル受１３の両側縁からプラグ受４の両側、プラグ受４から外れた位置に伝い落とせるで、プラグ受４上は勿論、プラグ受４とプラグ５との境界部１２に及ぶのをより防止しやすい。従って、器体１の側周面のプラグ受４の鉛直上にハンドル受１３が位置して、伏倒したハンドル３と器体１の側周面との間の隙間１１から結露水やおねばが落下することがあっても、プラグ受４の上には勿論、プラグ受４とプラグ５との境界部１２に及ばず、特に構造の複雑化やコスト上昇の原因にならずに、落下してくることのある結露水やおねばに対するプラグ受４、プラグ５間の電気的接続部の安全性をより高められる。
【００３３】
ここで、既述の、プラグ受４の外端４ａないしは溝４ｆのハンドル３の鉛直下に位置する条件をも、併せ満足することにより、隙間１１からハンドル受１３上に落ちた結露水やおねばのハンドル受３上のハンドル３による両側への伝い落ち位置を、プラグ受４の両側に伝い落ちさせるのに、万が一ハンドル受１３の下面側プラグ受４側に回り込んで、プラグ受４側に伝い落ちたとしても、その落下域は、プラグ受４の外端４ａないし溝４ｆから器体１の側周側域に抑えられるので、特に構造の複雑化やコスト上昇の原因にならずに、プラグ受４およびプラグ５の境界部１２に及ばないようにできる。しかし、このようなハンドル受１３の下面への結露水やおねばの回り込みは、ハンドル受１３の両側縁に図３（ｂ）に示すような下向きの水切りリブ１３ａを設けておけば回避できる。
【００３４】
さらに、本発明の実施の形態の全般において、従って、図１、図２の例、図３の例、図４の例に共通して、ハンドル３は図１で代表して示すように、器体１側周に対し後部中央域で最大に離れ、後部両側および器体１への軸３ｂによる枢支位置に向け徐々に近接する従来形態を採用するのに併せ、図３に示すように、プラグ受４は、器体１の後部両側の一方、図示例では左側に片寄って位置するようにできる。これによって、ハンドル３が軸３ｂを中心に起伏されるのに器体１の側周との隙間１１を器体１との干渉防止上、器体１の後部の中央域よりも小さくできる隙間域に対応してプラグ受４が位置することになり、結露水やおねばが同隙間１１を落下することがあっても、プラグ受４の外端４ａ、または溝４ｆよりもより遠い側、従って器体１の側周側により近寄って落ちやすく、特に構造の複雑化やコスト上昇の原因にならずに、プラグ受４とプラグ５との境界部１２に及ぶのをより確実に防止することができる。図示例では、ハンドル受１３の片寄位置は、平面視してほぼ角型の器体１の後部両側一方のコーナ部に位置していて、壁際などに設置したりするのに、まわりへの最も邪魔になりにくい位置になっている。
【００３５】
ハンドル３も、伏倒したハンドル３上に落ちて伝い落ちることのある結露水やおねばの水切り位置は、プラグ受４の外端４ａから器体１の側周側、従って、よりよくは溝４ｆから器体１の側周側に対応するように規制できるのが好適である。それには、プラグ受４の外端４ａよりも器体１側またはプラグ５側に伝い落とすように案内する図２に実線で示す横断面形状により器体１の側周側に水切り縁３ｃを形成し、または図２に仮想線で示す断面形状としてプラグ５側に水切り縁３ｄ、矢印２１または２２で示す伝い落ち位置となるように規制したり、図４に示すように、プラグ受４の鉛直上からハンドル３長手方向に離れる側に伝い落とすように矢印３1、３２のように案内する下向きに傾斜または湾曲するなどした長手方向形状、の少なくとも１つの案内形状を満足するようにすればよい。これにより、ハンドル３の横断面形状またはおよび長手方向形状をハンドル３上に落ちる結露水やおねばの伝い落ち案内面に利用して、プラグ受４の外端よりも器体１側またはプラグ５側に伝い落とすようにすること、プラグ受４の鉛直上からハンドル３長手方向に離れる側に伝い落とすこと、の少なくとも１つを実現することができる。従って、特に構造の複雑化やコスト上昇の原因にならずに、プラグ受４、プラグ５間の電気的接続部の安全性を上記いずれの場合よりもさらに高められる。
【００３６】
ハンドル３の長手方向矢印３1、３２が示す向きへの案内は、ハンドル３の上縁３ｆまたはおよび下縁３ｇ側においてできる。上縁３ｆ側では、幅方向への伝い落ち速度とプラグ受４から双方に外れていく速度との関係をクリアする必要がある。具体的には、幅方向への伝い落ちを抑制するほどプラグ受４から外しやすくなる。それには、横断面形状の丸みを抑えるのがよく、よりよくは、平坦面や凹曲面などとするのが有利である。下縁３ｇ側では横断面上最低部に達してからハンドル３の長手方向矢印３１、３２の向きに伝わせることになるので、幅方向での伝い落ちを配慮する必要はないが、ハンドル３を長手方向に伝い落ちながらの自然落下位置をプラグ受４の側方へ確実に外すには、上縁３ｇでのハンドル３の長手方向矢印３１、３２の向きへの伝い落とし機能を併用するのが有利である。もし、結露水やおねばの、ハンドル３の長手方向矢印３１、３２の向きへの伝い落ちながらの自然落下位置を規制するのであれば、それ以上の伝い落ちを制限する水切り用の段部やリブを設ければよい。
【００３７】
なお、水切り縁３ｄを用いるのであれば、隙間１１を極限に小さくすること、つまり、ハンドル３の内周が器体１の側周に近いことを確保しながら、ハンドル３の外周を器体１の外周からより遠い側に位置させるのが好適である。これを言い換えれば、ハンドル３の少なくともプラグ受４の鉛直上域を、内周が器体１の側周に近く外周が遠くなるような位置を確保して厚みを大きくすることもできる。もっとも、ハンドル３は水切り縁３ｃ、３ｄの双方を持った横断面形状とすることもできる。
【産業上の利用可能性】
【００３８】
本発明は、電気炊飯器に実用して、不使用時伏倒状態とされるハンドルや、ハンドル受を利用して、ハンドルとの間、あるいはハンドル上から結露水やおねばが落ちても、特に構造が複雑化したりコスト上昇の原因にならずに、器体側周に突出するプラグ受とこれに電気接続したプラグとの電気接続部への電気的影響を防止できる。
【符号の説明】
【００３９】
１  器体
２  蓋
３  ハンドル
３ａ  端部
３ｂ  軸
３ｃ、３ｄ  水切り縁
３ｆ  上縁
３ｇ  下縁
４  プラグ受
４ａ  外端
４ｂ  受け入れ口
４ｃ  奥壁
４ｄ  接続端子
４ｆ  溝
５  プラグ
１１  隙間
１２  プラグ受、プラグ間の境界部
１３  ハンドル受
１４  ハンドル受上のハンドル載置境界部
【図１】
2010273937.tif 000003
【図２】
2010273937.tif 000004
【図３】
2010273937.tif 000005
【図４】
2010273937.tif 000006
【図５】
2010273937.tif 000007
【図６】
2010273937.tif 000008